(57)【要約】【課題】  従来より、座椅子が数多く供給されてきたがいずれも座面部や背もたれ部が一定の位置に固定されるため長時間の使用では窮屈となり座り直しがし難い実際上の欠点を有していた。【解決手段】底部と、弾性部と、座面部と、背もたれ部とにより構成され、前記弾性部の撓みにより座面部及び背もたれ部が揺動すると共に、  背もたれ部及び／又は座面部には、所定の間隔で凹部、又は開口部等の取付孔が設けられており、該取付孔と嵌め合う寸法、及び／又は同一の配置で設けられた突起部を裏面に有するつぼ押し具が、背もたれ部及び／又は座面部の任意の位置に取付可能に構成されたことを特徴とする座椅子を提供する。【選択図】図１
0003141092.tif 000002
【実用新案登録請求の範囲】
【請求項１】
底部と、該底部に連結された弾性部と、該弾性部に連結された座面部と、該座面部に連結された背もたれ部とにより構成され、前記弾性部の撓みにより座面部及び背もたれ部が揺動すると共に、
背もたれ部及び／又は座面部には、所定の間隔で凹部、又は開口部等の取付孔が設けられており、該取付孔と嵌め合う寸法、及び／又は同一の配置で設けられた突起部を裏面に有するつぼ押し具が、背もたれ部、及び／又は座面部の任意の位置に取付可能に構成されたことを特徴とする座椅子。
【請求項２】
前記底部、及び弾性部、及び座面部、及び背もたれ部は、合成樹脂、又は木材、又は金属等の同一の材料により構成された一枚の板状部材を、曲げる、又は一体成型することにより一体型に構成されたことを特徴とする請求項１記載の座椅子。
【請求項３】
前記底部の下面、又は前記座面部の下面に、旋回自在な高さ調整具を設けることにより前記座椅子の高さを調節できることを特徴とする請求項１、及び／又は請求項２記載の座椅子。
【請求項４】
前記背もたれ部が座面部に対し、取外し可能に構成されることにより収納、運搬が容易となることを特徴とする請求項１、及び／又は請求項２、及び／又は請求項３記載の座椅子。
【考案の詳細な説明】
【技術分野】
【０００１】  本考案は、姿勢を楽に変えられる座椅子に関する。
【背景技術】
【０００２】  従来より、座椅子が数多く供給されてきたがいずれも座面部や背もたれ部が一定の位置に固定されるため長時間の使用では窮屈となり、座り直しがし難い実際上の欠点を有していた。【０００３】  これらの問題を解消しようとする座椅子としては、［特開２００２−１５３３４５号］（以下、「引例」という）が提案されている。
しかしこの引例においては、ロッキングにより揺動範囲が必要以上に大きくなり安定感が得られず、加えて構造が複雑のため、製作費が高くなるという欠点を有していた。
【特許文献１】特開２００２−１５３３４５
【考案の開示】
【考案が解決しようとする課題】
【０００４】    本考案は、簡単な構造で姿勢を楽に変えられる座椅子を提供するものである。
【課題を解決するための手段】
【０００５】  底部と、該底部に連結された弾性部と、該弾性部に連結された座面部と、該座面部に連結された背もたれ部とにより構成され、前記弾性部の撓みにより座面部及び背もたれ部が揺動すると共に、
背もたれ部及び／又は座面部には、所定の間隔で凹部、又は開口部等の取付孔が設けられており、該取付孔と嵌め合う寸法、及び／又は同一の配置で設けられた突起部を裏面に有するつぼ押し具が、背もたれ部及び／又は座面部の任意の位置に取付可能に構成されたことを特徴とする座椅子を提供する。【０００６】  前記底部、及び弾性部、及び座面部、及び背もたれ部は、合成樹脂、又は木材、又は金属等の同一の材料により構成された一枚の板状部材を、曲げる、又は一体成型することにより一体型に構成されたことを特徴とする請求項１記載の座椅子を提供する。【０００７】  前記底部の下面、又は前記座面部の下面に、旋回自在な高さ調整具を設けることにより前記座椅子の高さを調節できることを特徴とする請求項１及び／又は請求項２記載の座椅子を提供する。【０００８】  前記背もたれ部が座面部に対し、取外し可能に構成されることにより収納、運搬が容易となることを特徴とする請求項１、及び／又は請求項２、及び／又は請求項３記載の座椅子を提供するものである。
【考案の効果】
【０００９】  本考案の物は弾性部を設けることにより、楽に姿勢を変えられる座椅子を提供するものである。その優れた効果を、以下に述べる。
（１）弾性部３が、体重により撓むため座面部４と背もたれ部５とが、揺動するため、常    に窮屈感なく身体の姿勢を変えることができる。
従って、長時間座っていても、痛みを発生することが少なく、簡単な構造で、楽な姿    勢に変更することができる
（２）一番効果的な位置に、つぼ押し具８を取付けることができるため自分に合った指圧    効果を発揮することができる。
（３）座椅子１の材料は、合成樹脂、木材、金属等の弾性を有する材料であれば、いずれ    でもよい。特に、合成樹脂の一体成型により製作することより、安価に大量生産する    こともできる。
（４）同一の材料により構成された一枚の板状部材１０を、プレス、又は加熱成形等の加    工手段により曲げられることにより同一材料で一体型に構成することができる。この    場合も、前記と同様に、安価に生産することができる。
（５）高さ調整具１１は、任意の高さ寸法を持ったライナーとして高さ寸法Ｈを調整する    ことができ、又、ねじ等の高さ調節手段により、高さを変更することができると共に    、軸１２ａと軸受１３ａを介して、旋回自在に構成される。
（６）背もたれ部５を外して収納、運搬が容易に、することができる。
（７）底部を前後方向に湾曲させた湾曲型底部１４に構成することにより、ロッキング機    能を付加することができ、その場合にストッパー１５を併用することもできる。
（８）座椅子の夫々の縁部１６を、パイプや、軸体等による弾性体とし、左右の縁部１６    のパイプや、軸体等による弾性体を、連結材１７で、連結して構成することにより、    安価に製作することができる。
【考案を実施するための最良の形態】
【００１０】  本考案は、考案の効果に前述した如く、すなわち、簡単な構造で楽に姿勢を変えられる揺動可能な座椅子を提供するものである。【００１１】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００１２】  以下、本考案の実施例について、図面を参照しながら説明する。
この実施例１の全体斜視図を図１に示す。【００１３】  床Ｆ等に置かれる座椅子１は、底部２と、該底部２に連結された弾性部３と、該弾性部３に連結された座面部４と、該座面部４に連結された背もたれ部５とにより構成されている。
座椅子１に、人が座ると、その体重により前記弾性部３が撓むため、座面部４及び背もたれ部５が揺動する。【００１４】  従来の座椅子は、背もたれ部が、段階的に角度を変えられるものは有るが、角度を決めると、その位置に固定されてしまうため、長時間座っていると、痛みを発生してくるが、その時は再度角度を変えないと、体が楽にならないが再三の角度調整が面倒であり、痛みが解消しないという欠点を有していた。【００１５】  本考案の実施例では、弾性部３が、体重により撓むため座面部４と背もたれ部５とが、揺動するため、常に窮屈感なく身体の姿勢を変えることができる。
従って、長時間座っていても、痛みを発生することが少なく、簡単な構造で、楽な姿勢に変更することができるのである。
弾性部３の形状は、図１に示すＲ形状でも、又は高さ方向の中間に直線部を持ったコの字形でも、Σ形、等の撓み効果を発揮する形状であればいずれでも良い。【００１６】  又、背中や腰にある、つぼを押すと、痛みが和らぐことが良く知られている。
本考案の座椅子１には、背もたれ部５及び／又は座面部４には、所定の間隔で凹部、又は開口部等の取付孔６が設けられており、該取付孔６と嵌め合う寸法、及び／又は同一の配置で設けられた突起部７を裏面に有するつぼ押し具８が、背もたれ部５及び／又は座面部４の任意の位置に取付可能に構成されている。
従って一番効果的な位置に、つぼ押し具８を取付けることができるため自分に合った指圧効果を発揮することができる。【００１７】  つぼ押し具８は、単独型８ａや、集合型８ｂ等の種々の形状で形成することができる。
座椅子１の材料は、合成樹脂、木材、金属等の弾性を有する材料であれば、いずれでもよい。特に、合成樹脂の一体成型により製作することより、安価に大量生産することもできる。【００１８】  また、座面部４、及び／又は背もたれ部５は、通常用いられるスポンジ、座布団等のクッション材を取り付けても良い。
【実施例２】
【００１９】  図２は、本考案の実施例２を示す展開した全体斜視図である。
前記底部２、及び弾性部３、及び座面部４、及び背もたれ部５は、合成樹脂、又は木材、又は金属等の同一の材料により構成された一枚の板状部材１０を、プレス、又は加熱成形等の加工手段により曲げられることにより同一材料で一体型に構成することができる。この場合も、前記と同様に、安価に生産することができる。
【実施例３】
【００２０】  図３は、本考案の実施例３の一例を示す側面図であり、底部２の下面と床Ｆとの間に、旋回自在な高さ調整具１１を設けたものである。
図４に、高さ調整具１１の斜視図を示す。
高さ調整具１１は、任意の高さ寸法を持ったライナーとして高さ寸法Ｈを調整することができる。又、ねじ等の高さ調節手段により、高さを変更することができる。
加えて、旋回部１２と、固定部１３とが、軸１２ａと軸受１３ａを介して、旋回自在に構成される。【００２１】  図５は、前記弾性部３と、座面部４との間に、高さ調整具１１を配置した別の実施例３を示す。
弾性部３の上部に取付けられた高さ調整具１１を介して旋回自在に前記座面部４を取付けると共に、座面部４及び背もたれ部５の高さを調節できる座椅子を示している。
【実施例４】
【００２２】  図６は、実施例４を示す側面図である。
例えば、座面部４には、取付孔４ａが設けられており、背もたれ部５の下部には突起部５ａが設けられ、それらが取付、取外し可能に構成されることにより、背もたれ部５を外して収納、運搬が容易となることを特徴とする座椅子を示している。
［変形実施例］【００２３】  この考案は次のように変形して実施することを含むものである。
（１）弾性部３の高さ寸法を大きくするか、及び／又は、高さ調整具１１の高さ寸法Ｈ        を大きくすることにより、座椅子としてでなく、通常の椅子として構成し、同一        の効果を発揮することができる。また、通常の椅子と、座椅子を切換えて使用す        ることもできる。
（２）図７に示す如く、底部を前後方向に湾曲させた湾曲型底部１４に構成することに        よりロッキング機能を付加することができる。
又、ロッキング機能を使わない場合は、ストッパー１５により不使用とすること        もできる。
（３）前記弾性部３と、座面部４とを、取外し可能に構成する。
（４）前記底部２と弾性部３を取外し可能に構成する。
（５）図８に示す如く、底部２、弾性部３、座面部４、及び背もたれ部５の夫々の縁部        １６を、パイプや、軸体等による弾性体とし、左右の縁部１６のパイプや、軸体        等による弾性体を、連結材１７で、連結して構成する。
【産業上の利用可能性】
【００２４】    本考案の活用例としては、以上説明したように、簡単な構造で楽に姿勢を変えられる揺動可能な座椅子を提供することにより、健康上の良好な効果を発揮すると共に、簡単な構造であるため安価に製作できるため、大量生産による新規商品分野を開拓でき、産業の発展に、寄与することができる。
【図面の簡単な説明】
【００２５】
【図１】実施例１の全体斜視図である。
【図２】実施例２を示す展開した全体斜視図である。
【図３】実施例３の一例を示す側面図である。
【図４】高さ調整具１１の斜視図である。
【図５】別の実施例３を示す側面図である。
【図６】実施例４を示す側面図である。
【図７】湾曲型底部１４を有する変形実施例の側面図である。
【図８】左右の縁部１６をパイプや、軸体等による弾性体とした斜視図である。
【符号の説明】
【００２６】１      座椅子
２      底部
３      弾性部
４      座面部
４ａ    取付孔
５      背もたれ部
５ａ    突起部
６      取付孔
７      突起部
８      つぼ押し具
８ａ    単独型
８ｂ    集合型
１０    板状部材
１１    高さ調整具
１２    旋回部
１２ａ  軸
１３    固定部
１３ａ  軸受
１４    湾曲型底部
１５    ストッパー
１６    縁部
１７    連結材
Ｆ      床
Ｈ      高さ寸法
【図１】
0003141092.tif 000003
【図２】
0003141092.tif 000004
【図３】
0003141092.tif 000005
【図４】
0003141092.tif 000006
【図５】
0003141092.tif 000007
【図６】
0003141092.tif 000008
【図７】
0003141092.tif 000009
【図８】
0003141092.tif 000010